(57)【特許請求の範囲】
【請求項１】
電動送風機室を内部に設けた掃除機本体と、
前記電動送風機室に内蔵された電動送風機と、
前記電動送風機の吸込側に連通する集塵装置と、
この集塵装置と流体的に接続された導入管を備える吸込口と、
前記電動送風機と前記吸込口とを連通させる排気循環路と、
前記電動送風機から排出される空気は、本体排気口から前記掃除機本体外に排出される空気と、前記排気循環路に流入する空気とに分けられ、
前記排気循環路の排出口は、前記吸込口に設けられた回転清掃体よりも上方に設けられ、
前記集塵装置は、前記吸込口から吸込んだ塵埃を含む空気を前記集塵装置の外筒に衝突させる構造を備えたことを特徴とするハンディ型電気掃除機。
【請求項２】
前記集塵装置は、外筒と内筒を備え、
前記外筒は、内筒と連通する旋回室を備え、前記旋回室はらせん構造を備え、
前記外筒は、衝突壁が設けられている集塵室を備えることを特徴とする請求項１に記載のハンディ型電気掃除機。
【請求項３】
前記電動送風機室と前記吸込口の間に設けられ、前記吸込口及び前記電動送風機室と連通し、前集塵室内の温度を維持する集塵装置を備えたことを特徴とする請求項１又は２に記載のハンディ型電気掃除機。
【請求項４】
前記集塵装置は、外筒が二重壁である請求項１乃至３の何れか１項に記載のハンディ型電気掃除機。
【発明の詳細な説明】
【技術分野】
【０００１】
本発明は電気掃除機に関する。
【背景技術】
【０００２】
これまでに、ふとんの掃除等により塵埃とともに吸い込んだダニ等の有害微生物を退治するために、電動送風機の排気流を集塵室に循環して集塵室内を加熱するようにした電気掃除機が知られている。例えば、その一例として、特開平３−１６２８１２号公報がある。
【先行技術文献】
【特許文献】
【０００３】
【特許文献１】特開平３−１６２８１２号公報
【発明の概要】
【発明が解決しようとする課題】
【０００４】
特許文献１に記載の電気掃除機では、排気を循環させる構造により集塵室内をダニ等の有害微生物を退治可能な温度に加熱することが可能であるが、短時間での運転や外気温の影響により集塵室内が充分に加熱されなかった場合に、ダニ等の有害微生物を退治できないおそれがある。
【０００５】
本発明は、排気を循環させて集塵室内を加熱する構造に加えて、集塵室内に捕捉されたダニ等の有害微生物を退治できる構造を備えた電気掃除機を提供することを目的とする。
【課題を解決するための手段】
【０００６】
電動送風機室を内部に設けた掃除機本体と、前記電動送風機室に内蔵された電動送風機と、前記電動送風機の吸込側に連通する集塵装置と、この集塵装置と流体的に接続された導入管を備える吸込口と、前記電動送風機と前記吸込口とを連通させる排気循環路と、前記電動送風機から排出される空気は、本体排気口から前記掃除機本体外に排出される空気と、前記排気循環路に流入する空気とに分けられ、前記排気循環路の排出口は、前記吸込口に設けられた回転清掃体よりも上方に設けられ、前記集塵装置は、前記吸込口から吸込んだ塵埃を含む空気を前記集塵装置の外筒に衝突させる構造を備えたことを特徴とする。
【発明の効果】
【０００７】
本発明の電気掃除機は、電動送風機の排気側を前記吸込口に連通させた循環風路と、前記吸込口から吸込んだ塵埃を含む空気を、前記外筒内面に衝突させる構造と、を備えるため、排気の循環により集塵室内を加熱しつつ、ダニ等の有害微生物を含む塵挨を集塵装置外筒内面に衝突させることにより、集塵室内に捕捉されたダニ等の有害微生物を退治できる電気掃除機を提供できる。
【図面の簡単な説明】
【０００８】
【図１】本発明の電気掃除機の全体を示す外観斜視図である。
【図２】掃除機本体を側面から見た掃除機本体の中央断面図である。
【図３】掃除機本体の上ケースを取り外した状態の上面図である。
【図４】第１の実施形態を示す集塵装置を正面から見た外観図である。
【図５】図４に示す集塵装置のＡ−Ａ断面図である。
【図６】第１の実施形態を示す集塵装置の展開図である。
【図７】掃除機本体から集塵装置を取り外した状態の上面図である。
【図８】図７に示す掃除機本体のＢ−Ｂ断面図である。
【図９】（ａ）はスティック型電気掃除機の斜視図であり、（ｂ）はスティック型電気掃除機の中央断面図である。
【図１０】図９に示すスティック本体からハンディ本体を取り外した状態のスティック型電気掃除機の中央断面図である。
【発明を実施するための形態】
【０００９】
以下、本発明に係る実施形態について適宜図面を参照して説明するが、本実施形態は以下の内容に限定されるものではなく、本発明の趣旨の範囲内において適宜変更して実施可能である。なお、上下方向、左右方向、前後方向については図１に示す方向とする。
(全体構成)
図１は、ハンディ型電気掃除機１００の外観斜視図を示している。図１において、１は掃除機本体である。この掃除機本体１には、サイクロン方式の集塵装置２が着脱自在に備えられている。掃除機本体１は、手元ハンドル部３と、掃除機本体１の側面に配置される本体排気口４と、を有している。また、手元ハンドル部３には、掃除機本体１の内部に備えられている電動送風機５の制御や、後述の吸込口６に設けられている回転清掃体６ｂを駆動する電動機９の動作のオン／オフの制御を行う操作スイッチ７を備えている。
（排気循環機構について）
(本体構成)
図２は実施形態を示す掃除機本体１を側面から見た掃除機本体１の中央断面図、図３は掃除機本体１の上ケース１ａを取り外した状態の掃除機本体１の上面図である。
【００１０】
掃除機本体１のケースは上ケース１ａ、下ケース１ｂ、ハンドル上ケース１ｃ、ハンドル下ケース１ｄを組み合わせて形成している。
【００１１】
上ケース１ａ、下ケース１ｂ、ハンドル上ケース１ｃ、ハンドル下ケース１ｄはプラスチック等の材料で形成されている。
【００１２】
掃除機本体１には、吸込口６が形成されており、下面（清掃面に対向する面）に吸込口６に通じる開口部が形成されている。
(吸込口について)
吸込口６は、吸込室６ａと、回転清掃体６ｂと、集塵装置２と流体的に接続された導入管６ｃとを備えている。なお、本実施形態では、下ケース１ｂの下面に吸込口６を形成した場合を例に挙げて説明したが、これに限定されるものではない。吸込口６は集塵装置２に連通していればよい。そのため、吸込室６ａは下ケース１ｂの前面などの様々な場所にあってもよく、また、回転清掃体６ｂがなくてもよく、吸込室６ａ及び回転清掃体６ｂが配置されていない単純な通気路であってもよい。
【００１３】
回転清掃体６ｂは、吸込口６の長手方向（左右方向）に沿って配置され、吸込口６に回転可能に支持されている。また、回転清掃体６ｂは、吸込口６の長手方向（回転清掃体６ｂの軸方向）の一端側から他端側まで連続して設けられている。また、回転清掃体６ｂは、ブラシが回転清掃体６ｂの軸方向に対してらせん状に配設されている。
(モータケースについて)
掃除機本体１の内部には、電動送風機５を収納するモータケース８と、回転清掃体６を駆動させる電動機９と、電動送風機５及び電動機９を制御する制御基板１０と、後述の排気循環路１１と後述の温度検知手段１６が配置されている。
【００１４】
モータケース８はプラスチック等の材料で形成されている。
【００１５】
モータケース８は、集塵装置２の後方に収納され、集塵装置２と電動送風機５とを連通するダクト８ａを備えている。
【００１６】
モータケース８は、下面に略四角状の排気口８ｂを備えており、電動送風機５から排出された空気を、掃除機本体１内部の排気経路を介して本体排気口４に排出する。また、排気口８ｂ近傍に後述の循環路流入口１１ａを設けており、電動送風機５から排出された空気の一部を後述の排気循環路１１に流入させている。
(排気循環路について)
排気循環路１１は、略円筒状の管で形成されており、モータケース８の排気口８ｂと吸込口６とを連通させる。
【００１７】
排気循環路１１は、ゴムやエラストマー、シリコン、塩化ビニル等の弾性材料から形成されている。
【００１８】
排気循環路１１は、電動送風機５を収納しているモータケース８の排気側に１箇所の循環路流入口１１ａを備え、吸込室６ａ内の吸込口より上部に２箇所の循環路排出口１１ｂを備えている。
【００１９】
排気循環路１１は、モータケース８に備えた１箇所の循環路流入口１１ａから、掃除機本体１の前方に向かうようモータケース８の右側面と掃除機本体１の排気排出口の間を通り、モータケース８を通過した後に集塵装置２を避けるよう左右に分岐する。左側の排気循環路は、ダクト８ａ及び集塵装置２の左側面を通過して吸込口６内の左側に行き、回転清掃体６ｂの上部に循環路排出口１１ｂが配置されるように備えている。右側の排気循環路は、ダクト８ａの後方を通り、集塵装置２の右側面を通過して、吸込口６内の右側に行き、回転清掃体６ｂの上部に循環路排出口１１ｂが配置されるように備えている。
【００２０】
循環路排出口１１ｂの位置を回転清掃体６ｂより上方に設けることで、清掃面に接する吸込口６の開口部付近に排気を戻すことにより、塵埃を含んだ吸込流よりも、循環路排出口１１ｂから戻した排気を勢いよく吸い込んでしまうというおそれを低減することができる。よって、吸気流をある程度維持しながら排気を循環させるためには、吸込口への排気は、吸込口から離れている所から排出するのが望ましく、回転清掃体６ｂよりも上方に循環路排出口を設けると良い。
【００２１】
なお、本実施形態では、排気循環路１１について、モータケース８に１箇所の循環路流入口１１ａと、吸込室６ａ内の吸込口より上部に２箇所の循環路排出口１１ｂを備えた場合を例に挙げて説明したが、これに限定されるものではない。電動送風機５の排気を、吸込口６に循環することが可能であればよいため、モータケース８の排気側に２箇所以上の循環路流入口１１ａを備えていてもよく、吸込室６ａ内の吸込口より上部に１箇所や、３箇所以上の循環路排出口１１ｂを備えてもよく、適宜変更することができる。
(集塵装置について)
集塵装置２は、掃除機本体１の手元ハンドル３よりも前方に、下面が清掃面に対し水平の状態で着脱自在に取り付けられる。
【００２２】
集塵装置２が掃除機本体１に取り付けられた状態では、集塵装置２は導入管６ｃ及びダクト８ａと流体的に接続されている。
【００２３】
集塵装置２が掃除機本体１に取り付けられた状態では、吸込口６から排気循環路１１に至るまで、一連の流路となっている。
【００２４】
また、各部品の接続部にはパッキングを設けており、運転中の気密を保持している。さらに、集塵装置２を掃除機本体１に取り付けた際に容易に気密を保持できるように、掃除機本体１には、集塵装置２の位置決めのための構造や集塵装置２を固定するための構造を備えている。
（空気の流れについて）
このようなハンディ型電気掃除機１００において、空気は図２及び図３に示す矢印のように流れる。このとき、実線矢印は流入する空気の流れを、破線矢印は排気循環の空気の流れを表す。
【００２５】
吸込口６から吸引された塵埃を含む空気は、導入管６ｃを介して集塵装置２へ至り、集塵装置２に設けた捕塵フィルタ１４を経て、ダクト８ａを介し、電動送風機５へ至る。電動送風機５から排出された空気は、本体排気口４からの排出される空気と、排気循環路１１に流入する空気とに分けられる。排気循環路１１に流入する空気は、排気循環路１１を経由して吸込室６ａに排出され、再び導入管６ｃより吸引される。排気循環路１１に流入する空気は、電動送風機５を経由する際に、電動送風機５から発生する熱により加熱されており、加熱された空気が、排気循環路１１、導入管６ｃを通過して再び集塵装置２へ循環する。これにより、集塵装置２へ加熱した空気が入り、集塵装置２内をダニ等の有害微生物を退治可能な温度に加熱することが可能となる。
【００２６】
本実施例では、排気循環路１１を掃除機本体１の内部に配置することにより、電動送風機５からの排気熱を、掃除機本体１外郭や掃除機本体１より外側に流路を設けた場合に比べて短い流路で集塵装置２に搬送する構成を採用している。また、排気循環路１１をゴムやエラストマー等の弾性材料で形成することで、掃除機本体１内部に柔軟に配管することが可能であり、プラスチック成形で流路を形成した場合に比べ、少ないスペースで流路を構成することができる。
【００２７】
集塵装置２内の温度上昇によりダニを退治するためには、ダニを退治可能とされている温度５０〜６０度まで加熱させる必要があるが、排気循環路を掃除機本体１の内部を通る流路で構成することで、従来のキャニスタ形であるホースや延長管で排気循環の流路を作成し、掃除機本体１内を通るタイプに比べて流路が長いタイプのように、吸込口への排出時に排気温度が低下してしまうというおそれを低減することができる。
【００２８】
また、排気温度の低下を防ぐことで、集塵装置２内の加熱のために電動送風機５からの排気熱を高温にする必要がなくなるため、排気温度が高温となることによるプラスチックの溶解や使用者のやけどのおそれを低減することができる。
【００２９】
掃除機本体１の内部には、集塵装置２の後方に温度検知手段１６、例えばサーミスタを備えており、排気循環により加熱された時の集塵装置２外郭の温度を検知することが可能である。このとき、温度検知手段１６は掃除機本体１内部の制御回路基板１０に接続される。
【００３０】
排気循環を続けることで集塵装置２が所定温度を超えた場合、温度検知手段１６と接続された制御基板１０により、電動送風機５への入力を自動的に抑制し排気循環の風量を減少させる。温度検知手段１６の検出結果で排気循環の風量を減少させることで、集塵装置２内の温度上昇を抑制することができる。
【００３１】
（集塵装置の構造について）
次に、集塵装置２について図４から図６を用いて説明する。図４は集塵装置２の正面図、図５は図４に示す集塵装置２のＡ−Ａ断面図、図６は集塵装置２の展開図を示す。
【００３２】
集塵装置２は概ね、外筒１２、内筒１３、捕塵フィルタ１４、捕塵フィルタ１４を収納するフィルタケース１５で形成されており、外筒１２の上部にフィルタケース１５を備え、外筒１２と同心円状になるよう内筒１３を備えている。
【００３３】
外筒１２、内筒１３、フィルタケース１５はプラスチック等の材料で形成されている。
(外筒について)
外筒１２は上部が開口した略円筒状で、底面に流入口１２ａを備えている。流入口１２ａの開口部は略四角形状である。また、外筒１２上部に設けているフィルタケース１５は蓋構造となっており、集塵装置２は外筒１２とフィルタケース１５とに分割される。
【００３４】
なお、本実施形態では、外筒１２が略円筒状の場合を例に挙げて説明したが、これに限定されるものではなく、内壁が略円筒状であれば良いため、外郭が多角柱という形状であってもよく、適宜変更することができる。
【００３５】
外筒１２は、底面に流入口を配置し内筒と連通する略円筒状の旋回室１２ｂを備えている。旋回室１２ｂは、旋回室１２ｂ内にらせん構造を備えており、流入口１２ａから流入した空気を旋回させ、空気とともに吸引された塵挨を遠心力により分離することができる。
【００３６】
外筒１２は、内部に旋回室１２ｂと連通し塵挨を溜める略円筒状に形成された集塵室１２ｃを備える。集塵室１２ｃは、旋回室１２ｂ内で遠心力により分離された塵挨を収容する。塵挨中にダニ等の有害微生物が含まれている場合は、旋回により発生する遠心力により旋回室１２ｂ乃至集塵室１２ｃの内壁に衝突させることで退治することができる。また、集塵室１２ｃは、図５に示すような衝突壁１２ｄを設けており、集塵室１２ｃで旋回する塵挨を衝突壁１２ｄに衝突させることにより、塵挨中に含まれたダニ等の有害微生物を退治することが可能である。
【００３７】
なお、本実施形態では、衝突壁１２ｄを１箇所に設けた場合を例に挙げて説明したが、これに限定されるものではない。集塵室１２ｄ内で旋回する塵挨が衝突すればよいため、衝突壁１２ｄを２箇所以上に設けてもよく、適宜変更することができる。
【００３８】
外筒１２は、熱伝達率の小さい透明のプラスチック、例えばアクリル樹脂やＰＥＴ等の材料で形成されている。これにより、外筒１２が排気循環により加熱された場合に、外筒１２を高温の状態で維持することができるため、集塵室１２ｃに収容されたダニ等の有害微生物が含まれている塵挨を十分に加温することが可能である。なお、本実施形態では、外筒１２が熱伝達率の小さい材料の場合を例に挙げて説明したが、これに限定されるものではない。外筒１２が排気循環により加熱された温度を維持出来れば良いため、外筒を二重壁にすることで熱を外に放出しない形状としてもよく、適宜変更することができる。
（内筒について）
内筒１３は、上方向は開口した円筒状の形状であり、ある部分から下方がテ―パ状に縮小していく形状であり、本実施形態のテ―パ形状面は、中心軸を垂直にした状態で水平面から約１３度傾斜している。前記テ―パ形状面には、旋回室１２ｂと連通する複数の穴が開いており、旋回室１２ｂ内で塵挨と分離された空気が、内筒１３内部に流入する構造としている。このとき、下方をテ―パ形状にすることで、テ―パ形状面の表面積を拡大し、内筒１３内部へ空気を流入させやすくしている。
【００３９】
内筒１３は、捕塵フィルタ１４と連通しており、内筒１３内部を通過する空気を捕塵フィルタ１４に流入させる。
（捕塵フィルタ、フィルタケースについて）
捕塵フィルタ１４は、外筒１２上部に設けているフィルタケース１５に収納されている。
【００４０】
捕塵フィルタ１４は、プリーツ状のエアフィルタ等が備えられており、エアフィルタにより内筒を通過する空気を濾過することができる。
【００４１】
フィルタケース１５は、内筒１３と連通し、ダクト８ａと連通する排出口１５ａを備えており、捕塵フィルタ１４を通過した空気をダクト８ａへ流入させることができる。
（集塵装置内の空気の流れについて）
以上のような構造の集塵装置２を掃除機本体１に備えることで、塵埃を含んだ空気は次のような流れとなる。図５に示す矢印で掃除機運転時の集塵装置２内の流れを説明する。このとき、実線矢印は空気の流れを、一点鎖線矢印は塵挨の流れを表す。
【００４２】
手元ハンドル３に設けられた操作ボタン７により使用者が運転を開始すると、電動送風機５が回転し空気を吸い込む。吸い込んだ空気は、吸込室６ａ、導入管６ｃを経て、外筒１２底面の流入口１２ａより集塵装置２内の旋回室１２ｂに流入する。旋回室１２ｂを通過した空気は旋回流となり、塵埃に遠心力が働き、塵埃と空気は分離される。
【００４３】
このとき、旋回された塵埃中にダニ等の有害微生物が含まれている場合には、旋回時に集塵装置２の外筒１２の内壁との衝突によりダニ等の有害微生物を退治する。
【００４４】
また、塵挨と分離された空気の多くは内筒１３の内部に流入する。そして、空気は捕塵フィルタ１４を通過し、フィルタケース１５の排出口１５ａを経て、ダクト８ａへ至る。空気は電動送風機５から加熱された状態で、排気循環路１１を介して集塵装置２へと循環され、集塵装置２内をダニ等の有害微生物を退治可能な温度まで加熱するため、旋回時の衝突により退治できなかったダニ等の有害微生物の退治が可能である。
（紫外線発光手段について）
次に、紫外線発光手段１７について図７及び図８を用いて説明する。図７は掃除機本体１から集塵装置２を取り外した状態の上面図、図８は図７のＢ−Ｂ断面図である。
(第１紫外線発光手段について)
掃除機本体１には、集塵装置２取り付け部の下面に第１紫外線発光手段１７、例えば紫外線ランプを備えており、集塵装置２の外筒１２に紫外線を照射するように設けられている。このとき、外筒１２は透明であるため、外筒１２内に吸引された塵挨に紫外線を照射することが可能である。
【００４５】
紫外線を照射し続けることで除菌効果も得られるため、外筒１２内に吸引された塵挨に紫外線を照射し続けることにより、塵挨や外筒の除菌を行なうことができ、清潔な状態に保つことができる。
【００４６】
なお、本実施形態では、第１紫外線発光手段１７を２箇所に設けた場合を例に挙げて説明したが、これに限定されるものではない。集塵装置２内の塵挨に紫外線を照射できればよいため、１箇所でもよく、３箇所以上でもよく、適宜変更することができる。
（第２紫外線発光手段について）
掃除機本体１内部には、吸込室６ａの後方側面に第２紫外線発光手段１８、例えば紫外線ランプを備えており、回転清掃体６ｂに紫外線を照射するように設けられている。
【００４７】
掃除機運転中に回転清掃体６ｂに付着した塵挨に紫外線を照射し続けることにより、回転清掃体６ｂの除菌効果を得られる。清掃面に接触する回転清掃体６ｂを清潔な状態とすることにより、清掃面を清潔な状態に保つことができる。
【００４８】
なお、本実施形態では第２紫外線発光手段１８を、吸込室６ａの後方側面に３箇所設けた場合を例に挙げて説明したが、これに限定されるものではない。回転清掃体６ｂに紫外線を照射できればよいため、２箇所以下でもよく、４箇所以上でもよく、第２紫外線発光手段１８の取り付け位置を吸込室６ａの前方側面または後方側面に設けてもよい。
【００４９】
また、本実施形態では第２紫外線発光手段１８による紫外線を回転清掃体６ｂに照射した場合を例に挙げて説明したが、これに限定されるものではない。清掃面乃至清掃面に接触する部分を清潔な状態に保つことができればよいため、第２紫外線発光手段１８による紫外線を導入管６ｃに照射してもよく、吸込口６の清掃面に接する面の開口部に照射してもよく、適宜変更することができる。  なお、本実施形態として図１〜図８では、ハンディ型電気掃除機１００を用いて説明したが、本発明は、ハンディ型電気掃除機以外にも用いることができる。いわゆるキャニスタ型電気掃除機やスティック型電気掃除機やロボット型電気掃除機に用いてもよい。
【００５０】
例えば、スティック型電気掃除機の例を説明する。図９（ａ）は、スティック型電気掃除機の斜視図であり、図９（ｂ）はスティック型電気掃除機の中央断面図である。図１０は、図９に示すスティック本体からハンディ本体を取り外した状態のスティック型電気掃除機の中央断面図である。
【００５１】
スティック型電気掃除機２００は、スティック本体１９と、スティック本体１９に着脱可能に設けられるハンディ本体２０と、スティック本体１９に着脱可能に設けられるスティック吸口体２１と、を有する。図１０等に示すハンディ本体２０は、図１〜８のハンディ型電気掃除機１００とは異なる構造を有する。ただし、電動送風機２４と、電動送風機２４の吸込側に位置するハンディ集塵装置２３と、ハンディ本体２０の先端に位置するハンディ吸込口２２と、ハンディ吸込口２２からハンディ集塵装置２３に連通する吸込通気路と、ハンディ本体２０に設けられ、電動送風機２４の排気の一部を、吸込通気路を介してハンディ集塵装置２３に流入させる排気循環路と、を有し、ハンディ集塵装置２３は、ハンディ吸込口２２から吸込んだ塵埃を含む空気をハンディ集塵装置２３外筒に衝突させる構造を備えることは共通している。これにより、図１０等に示すハンディ本体２０は、図１〜８のハンディ型電気掃除機１００と同様に、排気の循環で集塵室内を加熱することにより、集塵室内に捕捉されたダニ等の有害微生物を退治できるという効果を奏する。
【００５２】
更に、スティック本体１９には、スティック本体１９にハンディ本体２０を取り付けた際に、ハンディ本体２０の先端近傍に位置する排気循環路出口２６と接続するようなスティック排気循環路入口３１を有している。スティック本体１９は、スティック排気循環路入口３１から、スティック本体１９の吸口部に位置するスティック排気循環路出口３２まで至るスティック排気循環路を有する。
【００５３】
また、スティック吸口体２１もスティック本体１９に取り付けた際に、スティック排気循環路出口３２と接続する吸口体排気循環路入口３３を有している。スティック吸口体２１は、吸口体排気循環路入口３３から、スティック吸口体２１の吸気部まで至る吸口体排気循環路を有する。上記吸口体排気循環路や吸口体排気循環路を有することにより、ハンディ本体２０をスティック本体１９に取り付けるタイプのスティック掃除機２００においても、排気循環の流路を有することができ、排気の循環で集塵室内を加熱することにより、集塵室内に捕捉されたダニ等の有害微生物を退治できるという効果を奏する。
【００５４】
更に、ハンディ集塵装置２３は、サイクロン式の集塵部であり、外筒内部に衝突壁２３（ａ）を有するため、旋回時の衝突によりダニ等を退治することができる。
【００５５】
なお、本発明に係る実施形態について適宜図面を参照して説明したが、本実施形態は上記の内容に限定されるものではなく、本発明の趣旨の範囲内において適宜変更して実施可能である。
【符号の説明】
【００５６】
１  掃除機本体
２  集塵装置
３  手元ハンドル
４  本体排気口
５  電動送風機
６  吸込口
６ａ  吸込室
６ｂ  回転清掃体
６ｃ  導入管
７  操作スイッチ
８  モータケース
８ａ  ダクト
８ｂ  排気口
９  電動機
１０  制御基板
１１  排気循環路
１１ａ  循環路流入口
１１ｂ  循環路排出口
１２  外筒
１２ａ  流入口
１２ｂ  旋回室
１２ｃ  集塵室
１２ｄ  衝突壁
１３  内筒
１４  捕塵フィルタ
１５  フィルタケース
１５ａ  排出口
１６  温度検知手段
１７  第１紫外線発光手段
１８  第２紫外線照射手段
１９  スティック本体
２０  ハンディ本体
２１  スティック吸口体
２２  ハンディ吸込口
２３  ハンディ集塵装置
２３ａ  衝突壁
２４  電動送風機
２５  ハンディ排気口
２６  排気循環路出口
３１  スティック排気循環路入口
３２  スティック排気循環路出口
３３  吸口体排気循環路入口
【図１】
0006416639.tif 000002
【図２】
0006416639.tif 000003
【図３】
0006416639.tif 000004
【図４】
0006416639.tif 000005
【図５】
0006416639.tif 000006
【図６】
0006416639.tif 000007
【図７】
0006416639.tif 000008
【図８】
0006416639.tif 000009
【図９】
0006416639.tif 000010
【図１０】
0006416639.tif 000011